(57)【要約】【課題】  漏電を検出する可能性を高める漏電遮断器と、この漏電遮断器を有する充電ケーブルを提供する。【解決手段】零相変流器１５は、交流電路１２が貫通する。検出回路２０は、零相変流器１５の出力信号から漏電時の信号を生成する。リレーＬは、交流電路１２に設けられている。マイクロコンピュータ３０は、検出回路２０の出力信号Ｓ１をカウントして、このカウント数に基づく第１のリレー制御信号Ｓ２を出力する。カウンタ回路４０は、検出回路２０の出力信号Ｓ１をカウントし、このカウント数に基づく第２のリレー制御信号Ｓ４を出力する。リレー制御回路１４は、第１のリレー制御信号と第２のリレー制御信号によってリレーを遮断する。マイクロコンピュータ３０は、カウンタ回路４０にカウンタクリア信号を送信する回路を有する。カウンタ回路４０は、カウンタクリア信号が入力されると、カウント数をクリアする。【選択図】  図１
2020013688.tif 000002
【特許請求の範囲】
【請求項１】
交流電路が貫通する零相変流器と、
前記零相変流器の出力信号から漏電時の信号を生成する検出回路と、
前記交流電路に設けられたリレーと、
前記検出回路の出力信号をカウントして、このカウント数に基づく第１のリレー制御信号を出力するマイクロコンピュータと、
前記検出回路の出力信号をカウントし、このカウント数に基づく第２のリレー制御信号を出力するカウンタ回路と、
前記第１のリレー制御信号と前記第２のリレー制御信号によって前記リレーを遮断するリレー制御回路と、を備えており、
前記マイクロコンピュータは、前記カウンタ回路にカウンタクリア信号を送信する回路を有し、
前記カウンタ回路は、前記カウンタクリア信号が入力されると、前記カウント数をクリアすることを特徴とする漏電遮断器。
【請求項２】
前記マイクロコンピュータが、前記カウンタ回路にパルス状のカウンタクリア信号を送信しない場合、
前記カウンタ回路は、前記検出回路の出力信号を所定回数以上カウントすると、前記第２のリレー制御信号を出力して、前記リレーが遮断されることを特徴とする請求項１に記載の漏電遮断器。
【請求項３】
前記カウンタ回路は、前記カウンタクリア信号の立上りを検出することで、前記カウント数をクリアすることを特徴とする請求項２に記載の漏電遮断器。
【請求項４】
制御ボックスを有する充電ケーブルであって、
前記制御ボックスには請求項１ないし３のいずれかに記載の前記漏電遮断器が設けられていることを特徴とする充電ケーブル。
【発明の詳細な説明】
【技術分野】
【０００１】
本発明は、例えば、電気自動車やプラグインハイブリッド車のような電気推進車両と外部交流電源コンセントとの間に設置される充電ケーブルに設けられた漏電遮断器に関する。
【背景技術】
【０００２】
漏電遮断器として、例えば、特許文献１には、漏電が発生した時に漏電信号を発生させるＺＣＴコイル（零相変流器）と、このＺＣＴコイルから送られた信号がノイズ信号であるか否かをソフトウエアにより判定する判定手段と、この判定手段により漏電信号が発生したと判定された場合に交流電源からヒーターへの通電を遮断するスイッチを備えた構成が記載されている。
【先行技術文献】
【特許文献】
【０００３】
【特許文献１】特開２００５−２８３３７５公報
【発明の概要】
【発明が解決しようとする課題】
【０００４】
しかしながら、前記のような漏電遮断器では、判定手段が熱暴走等により正常に動作しない場合、漏電を検出できなくなる恐れがある。
【０００５】
そこで、本発明は、判定手段が正常に動作しない場合、漏電を検出する可能性を高める漏電遮断器と、この漏電遮断器を有する充電ケーブルを提供する。
【課題を解決するための手段】
【０００６】
本発明は、
交流電路が貫通する零相変流器と、
前記零相変流器の出力信号から漏電時の信号を生成する検出回路と、
前記交流電路に設けられたリレーと、
前記検出回路の出力信号をカウントして、このカウント数に基づく第１のリレー制御信号を出力するマイクロコンピュータと、
前記検出回路の出力信号をカウントし、このカウント数に基づく第２のリレー制御信号を出力するカウンタ回路と、
前記第１のリレー制御信号と前記第２のリレー制御信号によって前記リレーを遮断するリレー制御回路と、を備えており、
前記マイクロコンピュータは、前記カウンタ回路にカウンタクリア信号を送信する回路を有し、
前記カウンタ回路は、前記カウンタクリア信号が入力されると、前記カウント数をクリアすることを特徴とする。
【０００７】
また、別の本発明は、制御ボックスを有する充電ケーブルであって、
前記制御ボックスには前記漏電遮断器が設けられていることを特徴とする。
【発明の効果】
【０００８】
本発明によれば、マイクロコンピュータが熱暴走等により正常に動作しない場合、漏電が発生したことを検出する別のカウンタ回路が設けられたことにより、漏電を検出する可能性を高める。
また、別の本発明によれば、漏電遮断器が充電ケーブルとは別体の構成部品ではなく、一体の構成部品となるため、持ち運びに便利である。
【図面の簡単な説明】
【０００９】
【図１】本発明の実施形態に係る電気自動車用漏電遮断器のブロック図である。
【図２】本発明の実施形態に係り、電気推進車両を充電中に、マイクロコンピュータが正常に動作して、交流電路に漏電が発生していない場合の動作波形である。
【図３】本発明の実施形態に係り、電気推進車両を充電中に、マイクロコンピュータが正常に動作して、交流電路に漏電が発生した場合の動作波形である。
【図４】本発明の実施形態に係り、電気推進車両を充電中に、マイクロコンピュータが正常に動作せず、交流電路に漏電が発生していない場合の動作波形である。
【図５】本発明の実施形態に係り、電気推進車両を充電中に、マイクロコンピュータが正常に動作せず、交流電路に漏電が発生して、比較演算回路の出力信号Ｓ１にノイズ信号を含まない場合の動作波形である。
【図６】本発明の実施形態に係り、図３の漏電信号の判定方法を示したフローチャートである。
【発明を実施するための形態】
【００１０】
本発明の実施形態に係る漏電遮断器１を、図１ないし図６を用いて説明する。
【００１１】
図１は、本発明の一実施形態における電気自動車用漏電遮断器のブロック図を示すものである。図１において、電気自動車用漏電遮断器は、主として、建物側に固設されている商用電源のコンセントと、電気自動車に代表される電気推進車両に設けられている充電インレットとを接続して、電気推進車両を充電するために用いられる充電ケーブルに実装されている。充電ケーブルが通電されると、電気推進車両は充電される。
【００１２】
この商用電源と電気推進車両とを接続する充電ケーブルには、制御ボックスが設けられている。この制御ボックス内には漏電遮断器１が組み込まれている。
【００１３】
この漏電遮断器１は、交流電路接続器１１と、交流電路１２と、リレーＬと、リレー制御回路１４と、零相変流器１５と、負荷側接続器１６を備える。また、漏電遮断器１は、検出回路２０と、マイクロコンピュータ３０と、カウンタ回路４０とをさらに備える。
【００１４】
交流電路接続器１１は、前記コンセントに差し込まれるプラグである。
交流電路１２は、２本の電線を用いる。
リレーＬは、コイルの駆動により、商用電源のコンセントと電気推進車両との間の交流電路１２を導通または遮断する。リレーＬの一端は、電源が接続されており、リレーＬの他端は、後述のトランジスタＴｒ１のコレクタに接続されている。
【００１５】
リレー制御回路１４は、トランジスタＴｒ１とトランジスタＴｒ２とトランジスタＴｒ３である。具体的に、第１のリレー制御回路は、トランジスタＴｒ１であり、第２のリレー制御回路は、トランジスタＴｒ２とトランジスタＴｒ３である。
トランジスタＴｒ１のコレクタには、リレーＬの他端が接続されており、トランジスタＴｒ１のエミッタにはグランドが接続されている。
【００１６】
零相変流器１５は、交流電路１２が貫通して、交流電路１２の漏れ電流を検出し出力する。この零相変流器１５は、交流電路１２が貫通した軟磁性材料等の磁性体からなる環状コアと、このコアに巻回されたトロイダル状のコイルとにより構成されている。
【００１７】
交流電路１２に漏電が発生していない場合、交流電路１２の往路方向を流れる電流と復路方向を流れる電流との間に差異が発生しない。環状コアに磁束は存在するが、これらの磁束は互いに打ち消し合い、環状コアに巻回されたコイル両端に、この電流に対応する誘起電圧が検出されない。
【００１８】
一方、交流電路１２に漏電が発生した場合、交流電路１２の往路方向を流れる電流と復路方向を流れる電流との間に差異が発生し、交流電路１２の電流が全体的に不平衡となる。この電流により発生する磁束により環状コアの磁束が変化して、環状コアに巻回されたコイル両端に、この電流に対応する誘起電圧が検出される。
【００１９】
したがって、零相変流器１５のコイル両端の出力電圧を検出することで、交流電路１２に漏電が発生したか否かを判定することができる。
【００２０】
負荷側接続器１６は、前記充電インレットに差し込まれるプラグである。
【００２１】
検出回路２０は、整流回路２１と比較演算回路２５を有し、零相変流器１５の出力信号から漏電時の検出信号を生成している。
整流回路２１は、零相変流器１５の出力信号を半波整流する半波整流回路と、半波整流回路の出力信号を増幅する増幅回路を有する。
比較演算回路２５は、増幅回路の出力信号が所定の電圧以上であることを検出した場合に、パルス状の漏電信号となる出力信号Ｓ１を出力する。
【００２２】
マイクロコンピュータ３０は、出力信号Ｓ１がノイズ信号であるか否かをソフトウエアにより判定する判定回路を有する。出力信号Ｓ１は、判定回路に入力されている。
また、判定回路の出力となる第１のリレー制御信号Ｓ２は、トランジスタＴｒ１のベースに入力されており、判定回路はトランジスタＴｒ１に判定回路の結果を出力する。
【００２３】
また、マイクロコンピュータ３０は、判定回路の他に、カウンタクリア発生回路と、充電制御等を行う制御回路を有する。
【００２４】
カウンタクリア発生回路は、カウンタ回路４０にパルス状のカウンタクリア信号Ｓ３を送信する。
【００２５】
制御回路は、電源のコンセントや充電インレットとの接続状態を監視等をするものである。
【００２６】
カウンタ回路４０は、マイクロコンピュータ３０が熱暴走等により暴走した場合のバックアップ回路であり、マイクロコンピュータ３０とは別体に構成されている。
カウンタ回路４０には出力信号Ｓ１が入力されている。カウンタ回路４０は、出力信号Ｓ１をカウントして、そのカウントに応じて、第２のリレー制御信号Ｓ４を出力する。
このカウンタ回路４０は、３ビットカウンタを用いており、パルス状の信号が入力されると、パルス状の信号の立上りで１ずつカウントアップする。
このカウンタ回路４０は、ロジックＩＣのみで動作するため、マイクロコンピュータ３０に比べて、極めて暴走しにくい。
【００２７】
第２のリレー制御信号Ｓ４は、トランジスタＴｒ２とトランジスタＴｒ３のベースに入力されている。トランジスタＴｒ２のコレクタは、トランジスタＴｒ１のベースに接続されている。トランジスタＴｒ３のコレクタは、比較演算回路２５の出力に接続されている。トランジスタＴｒ２とトランジスタＴｒ３のエミッタはグランドに接続されている。
【００２８】
また、カウンタクリア信号Ｓ３は、カウンタ回路４０に入力されている。マイクロコンピュータ３０が正常に動作する場合、マイクロコンピュータ３０はカウンタクリア信号Ｓ３をカウンタ回路４０に常時出力している。カウンタ回路４０は、カウンタクリア信号Ｓ３が入力されると、出力信号Ｓ１のカウント数をクリアする。
【００２９】
このマイクロコンピュータ３０が起動すると（初期状態）、マイクロコンピュータ３０のプログラムカウンタがゼロ番地からコードを読み込む。マイクロコンピュータ３０は、トランジスタＴｒ１のベースにＬ信号を出力して、リレーＬが遮断される。その後、制御回路は、充電インレットと車両側の接続状態を確認して、車両側から通電指示を受けた時に、マイクロコンピュータ３０は、トランジスタＴｒ１のベースにＬ信号からＨ信号を出力して、トランジスタＴｒ１がオンして、リレーＬが導通して、通電が開始する。
【００３０】
ここで、マイクロコンピュータ３０が正常に動作する場合（場合１）を考える。
【００３１】
まず、交流電路１２に漏電が発生していない場合（場合１−１、図２）、零相変流器１５は、誘起電圧を出力しない。よって、マイクロコンピュータ３０は、出力信号Ｓ１を検出しない（図２（ａ）、Ｓ１）。その結果、通電中、マイクロコンピュータ３０は、第１のリレー制御信号Ｓ２をＨ信号に維持して（図２（ｂ）、Ｓ２）、リレーＬが導通して、通電ができる（ＯＮとなる）（図２（ｅ）、Ｌ）。
また、マイクロコンピュータ３０は、カウンタ回路４０にカウンタクリア信号Ｓ３を出力している（図２（ｃ）、Ｓ３）。その結果、カウンタ回路４０は、カウント数をクリアする。このカウンタ回路４０は、トランジスタＴｒ２とトランジスタＴｒ３のベースにＬ信号を出力維持して（図２（ｄ）、Ｓ４）、トランジスタＴｒ２とトランジスタＴｒ３がオフを維持する。よって、トランジスタＴｒ１のベースはＨ信号のままとなり、リレーＬの導通状態が維持され、通電ができる（図２（ｅ）、Ｌ）。
【００３２】
一方、交流電路１２に漏電が発生した場合（場合１−２、図３）、この漏電遮断器では、交流電路１２の電流が全体的に不平衡となり、零相変流器１５は、誘起電圧を出力する。その信号は整流回路２１により整流されて、パルス状の漏電信号が比較演算回路２５から出力される（図３（ａ）、Ｓ１）。
この出力信号Ｓ１は、マイクロコンピュータ３０に入力され、マイクロコンピュータ内の判定回路が出力信号Ｓ１をノイズ信号であるか否かを判定する。判定回路が、ノイズ信号ではなく、漏電信号と判定すると、マイクロコンピュータ３０は、第１のリレー制御信号Ｓ２を、Ｈ信号からＬ信号にして（図３（ｂ）、Ｓ２）、リレーＬが遮断して、通電が止まる（ＯＦＦになる）（図３（ｅ）、Ｌ）。
また、マイクロコンピュータ３０は、カウンタ回路４０にカウンタクリア信号Ｓ３を出力している（図３（ｃ）、Ｓ３）。その結果、カウンタ回路４０は、出力信号Ｓ１のカウント数をクリアして、また、トランジスタＴｒ２とトランジスタＴｒ３のベースにＬ信号を出力維持して（図３（ｄ）、Ｓ４）、トランジスタＴｒ２とトランジスタＴｒ３がオフを維持する。
【００３３】
具体的に以下に説明する。
【００３４】
図３（ａ）は、実際に漏電が発生した場合に出力信号Ｓ１の例を示している。詳細には、図３（ａ）は、交流電源の周波数が、例えば、５０Ｈｚの場合における５個の漏電信号を示している。
【００３５】
図３（ａ）に示すように、商用電源の周波数が５０Ｈｚの場合、出力信号Ｓ１の周期、つまり、出力信号Ｓ１の立上りからその次の立上りまでの長さは約２０ｍｓになり、出力信号Ｓ１のパルスの長さは約６ｍｓになる。
【００３６】
零相変流器１５からマイクロコンピュータ３０に送られる実際の出力信号Ｓ１は、図３（ａ）に実線で示したようなきれいな矩形状ではなく、図示しないが出力信号Ｓ１の初期部分および終期部分において出力信号Ｓ１が乱れている可能性が高い。そのため、この漏電遮断器では、零相変流器１５から送られた信号がノイズ信号であるか否かを判定する場合に、判定回路は、この信号の略中央部分に基づいて判定が行われる。
【００３７】
判定回路は、タイマ割り込みと、インターバルタイマと、比較演算部と、カウンタｃを有する。
タイマ割り込みは、マイクロコンピュータ内の内部クロックを用いて所定の時間毎に割り込みをする。
インターバルタイマは、マイクロコンピュータ内の内部クロックを用いて一定間隔の時間を得る。
比較演算部は、インターバルタイマに基づいた位置で出力信号Ｓ１がＨ信号またはＬ信号であるかを検出する。
カウンタｃは、漏電信号を検出すると１カウントする。ここでは、カウンタｃが３個になると、交流電路１２に漏電が発生したと判定される。
【００３８】
そして、判定回路は、カウンタｃの数値に基づいて、出力信号Ｓ１がノイズ信号であるか否かが判定される。
なお、判定回路は、一般的なマイクロコンピュータで構成できる。
【００３９】
図６は、判定回路を使った図３（ａ）における漏電信号の判定方法を示したフローチャートである。
ｔ１、ｔ２、カウンタｃには０（ゼロ）が入力される（Ｓ１０１）。ｔ１はインターバルタイマがカウントした結果を入れる変数である。ｔ２はタイマ割り込みがカウントした結果を入れる変数である。カウンタｃは、漏電信号をカウントした結果を入れる変数である。
【００４０】
そして、カウンタ回路４０のカウント数はクリアされる（Ｓ１０２）。
比較演算部は、出力信号Ｓ１がＨ信号かＬ信号であるかを検出する（Ｓ１０３）。
出力信号Ｓ１がＨ信号でなければ、ｔ１＝０とする（Ｓ１０５）として、カウンタ回路４０のカウント数はクリアされる（Ｓ１０２）。
【００４１】
出力信号Ｓ１がＨ信号なら、インターバルタイマは、ｔ１を０．１ｍｓ毎にカウントアップする（Ｓ１０４）。そして、ｔ１が３ｍｓ（３０カウント）まで繰り返す（Ｓ１０６）。ｔ１が３ｍｓ（３０カウント）以下なら、カウンタ回路４０のカウント数はクリアされる（Ｓ１０２）。
【００４２】
ｔ１が３ｍｓを超えると、カウンタｃが０（ゼロ）であるか調べる（Ｓ１０７）。
カウンタｃが０（ゼロ）であるか調べて（Ｓ１０７）、カウンタｃが０（ゼロ）であれば、漏電信号があるとして、カウンタｃは１カウントして（Ｓ１０８）、タイマ割り込みが、ｔ２を１ｍｓ毎にカウントアップする（Ｓ１１１）。
【００４３】
一方、カウンタｃが０（ゼロ）であるか調べて（Ｓ１０７）、カウンタｃが０（ゼロ）でなければ、ｔ２が１７ｍｓから２３ｍｓの間にあるか調べる（Ｓ１０９）。
ｔ２が１７ｍｓから２３ｍｓの間にあれば、カウンタｃは１カウントする（Ｓ１０８）。
ｔ２が１７ｍｓから２３ｍｓの間になければ、ｔ１、ｔ２、カウンタｃには０（ゼロ）が入力される（Ｓ１１０）。
【００４４】
その後、カウンタｃが３以上になると、交流電路１２に漏電が発生したと判定されて（Ｓ１１３）、マイクロコンピュータ３０は、第１のリレー制御信号Ｓ２を、Ｈ信号からＬ信号にして（図３（ｂ）、Ｓ２）、リレーＬが遮断して、通電が止まる（図３（ｅ）、Ｌ）。
一方、カウンタｃが３が未満であると（Ｓ１１２）、カウンタ回路４０のカウント数はクリアされる（Ｓ１０２）。
【００４５】
なお、判定回路の判定個数（カウンタｃ）は３個としたが何個でもよい。例えば、商用電源に用いられる漏電ブレーカが落ちる時間が１００ｍｓ以内である場合には、この時間未満に判定できるように、５個以下が望ましい。
【００４６】
また、マイクロコンピュータ３０は、カウンタ回路４０にカウンタクリア信号Ｓ３を常時、出力している（図３（ｃ）、Ｓ３）。このカウンタクリア信号Ｓ３は、５ｍｓ周期のパルス状の信号となっている。具体的に、出力信号Ｓ１は、立上りからその次の立上りまでの長さを２０ｍｓとしており、出力信号Ｓ１の１周期内に、カウンタクリア信号Ｓ３が４個発生するため、カウンタ回路４０のカウント数はクリアされる。
【００４７】
ただし、漏電信号とカウンタ信号は同期していない。このカウンタ回路４０は、タイミングにより出力信号Ｓ１を１個カウントする場合があり得るが、出力信号Ｓ１を２個以上カウントしない。なお、カウンタ回路４０が、出力信号Ｓ１を２個以上カウントしないためには、出力信号Ｓ１の１周期内に、カウンタクリア信号Ｓ３が１個以上あればよい。
【００４８】
次に、電気推進車両を通電中に、マイクロコンピュータ３０が正常に動作しない場合（場合２）を考える。
【００４９】
まず、交流電路１２に漏電が発生していない場合（場合２−１、図４）、零相変流器１５は、誘起電圧を出力しない。よって、マイクロコンピュータ３０は、出力信号Ｓ１を検出しない（図４（ａ）、Ｓ１）。
【００５０】
仮に、マイクロコンピュータ３０が第１のリレー制御信号Ｓ２をＨ信号からＬ信号にした場合、リレーＬが遮断して、通電が止まり、問題ないと考えられる。
一方、マイクロコンピュータ３０が第１のリレー制御信号Ｓ２をＨ信号のままにした場合（図４（ｂ）、Ｓ２）、マイクロコンピュータ３０が暴走したのに、リレーＬが遮断せず、通電が続いてしまう（図４（ｅ）、Ｌ）。ただし、この場合、マイクロコンピュータ３０は、制御回路により、初期状態になり、リレーＬは遮断されるため、仮にリレーＬが遮断せず、通電が僅かに続いたしても問題ないと考えられる。
なお、マイクロコンピュータ３０がカウンタクリア信号Ｓ３を出力しない場合（図４（ｃ）、Ｓ３）、カウンタ回路４０は、出力信号Ｓ１をカウントできるが、出力信号Ｓ１がないため、カウントせず、カウントの結果を出力しない（図４（ｄ）、Ｓ４）。
【００５１】
一方、交流電路１２に漏電が発生した場合（場合２−２）、この漏電遮断器では、交流電路１２の電流が全体的に不平衡となり、零相変流器１５は、誘起電圧を出力する。その信号は整流回路２１により整流されて、比較演算回路２５は、出力信号Ｓ１を出力する（図５（ａ）、Ｓ１）。
【００５２】
まず、出力信号Ｓ１にノイズ信号が含まれない場合（場合２−２−１、図５）を考える。
マイクロコンピュータ３０がカウンタクリア信号Ｓ３を出力しない場合（図５（ｃ）、Ｓ３）、カウンタ回路４０は、出力信号Ｓ１をカウントできる。
【００５３】
仮に、マイクロコンピュータ３０が第１のリレー制御信号Ｓ２を、Ｈ信号からＬ信号にする場合、リレーＬが遮断して、通電が止まり問題ないと考えられる。
一方、マイクロコンピュータ３０が、第１のリレー制御信号Ｓ２を、Ｈ信号のままの場合（図５（ｂ）、Ｓ２）、マイクロコンピュータ３０が暴走して、リレーＬが遮断せず、通電が続いてしまう。ただし、この場合にマイクロコンピュータ３０は、制御回路により初期状態になり、リレーＬは遮断されるため、仮にリレーＬが遮断せず、通電が僅かに続いても問題ないと考えられる。
【００５４】
しかしながら、マイクロコンピュータが初期状態にならない可能性がある。すると、交流電路１２に漏電が発生して、リレーＬが遮断せず、通電が続いてしまうが、カウンタ回路４０は、出力信号Ｓ１をカウントできる。つまり、カウンタ回路４０が漏電信号を４個（２進数表示１００）カウントすると、カウンタ回路４０は、交流電路に漏電が発生したと判断する。そして、カウンタ回路４０は、３ビット目に１が立つと、第２のリレー制御信号Ｓ４を、Ｌ信号からＨ信号にして、トランジスタＴｒ２とトランジスタＴｒ３がオンする（図５(ｄ)、Ｓ４）。すると、トランジスタＴｒ１のベースはグランドに落ちてＬ信号となり、トランジスタＴｒ１がオフとなり、リレーＬが遮断して、通電が止まる（図５(ｅ)、Ｌ）。
【００５５】
なお、カウンタ回路４０のカウント回数は４個としたが、判定回路の判定個数（カウンタｃ）より＋１とすればよい。
【００５６】
漏電信号の判定個数について、マイクロコンピュータの漏電信号は３個であり、カウンタ回路４０の漏電信号は４個であり、カウンタ回路４０の漏電信号は、出力信号Ｓ１より１個多い。この理由について、漏電信号の判定個数が同じであると（判定個数＝１個の場合）、マイクロコンピュータ３０が正常に動作しているのに関わらず、カウンタ回路４０がリレーＬを遮断して、通電が止まる場合があり、マイクロコンピュータ３０が暴走したときのみに、カウンタ回路４０が動作するバックアップの役割が果たされない。これを防止するため、カウンタ回路４０の漏電信号は、出力信号Ｓ１より１個多く設定されている。よって、カウンタ回路４０は、マイクロコンピュータ３０が熱暴走等により暴走した場合のみに、バックアップの役割を果たす。
【００５７】
次に、出力信号Ｓ１にノイズ信号が含まれる場合（場合２−２−２）を考える。
【００５８】
交流電路１２に漏電が発生した場合、出力信号Ｓ１は、漏電信号を出力するが、この漏電信号とは独立のノイズ信号を含む可能性がある。すると、カウンタ回路４０は、このノイズ信号を含んだ漏電信号を、交流電路に漏電が発生したと判断する。そして、カウンタ回路４０は、トランジスタＴｒ２とトランジスタＴｒ３のベースにＬ信号からＨ信号を印加して、トランジスタＴｒ２とトランジスタＴｒ３がオンする。そして、トランジスタＴｒ１のベースはグランドに落ちてＬ信号となり、トランジスタＴｒ１がオフして、リレーＬが遮断して、通電が止まる。
よって、出力信号Ｓ１にノイズ信号が含まれる場合も、リレーＬが遮断して、通電が止まる。
【００５９】
このような漏電遮断器１は以下のような構成を有する。
零相変流器１５は、交流電路１２が貫通する。
検出回路２０は、零相変流器１５の出力信号から漏電時の信号を生成する。
リレーＬは、交流電路１２に設けられている。
マイクロコンピュータ３０は、検出回路２０の出力信号Ｓ１をカウントして、このカウント数に基づく第１のリレー制御信号Ｓ２を出力する。
カウンタ回路４０は、検出回路２０の出力信号Ｓ１をカウントし、このカウント数に基づく第２のリレー制御信号Ｓ４を出力する。
リレー制御回路１４は、第１のリレー制御信号Ｓ２と第２のリレー制御信号Ｓ４によってリレーＬを遮断する。
マイクロコンピュータ３０は、カウンタ回路４０にカウンタクリア信号Ｓ３を送信する回路を有する。
カウンタ回路４０は、カウンタクリア信号Ｓ３が入力されると、カウント数をクリアする。
【００６０】
マイクロコンピュータ３０が熱暴走等により正常に動作しない場合、漏電が発生したことを検出する、マイクロコンピュータ３０とは別に設けたロジックＩＣのみで動作するカウンタ回路が設けられたため、マイクロコンピュータに比べて、極めて暴走しにくく、漏電を検出する可能性を高める。
【００６１】
また、マイクロコンピュータ３０が、カウンタ回路４０にカウンタクリア信号Ｓ３を送信しない場合、カウンタ回路４０は、検出回路２０の出力信号Ｓ１を所定回数以上カウントすると、第２のリレー制御信号Ｓ４を出力して、リレーが遮断される。
よって、カウンタ回路４０は、マイクロコンピュータ３０が正常に動作しない場合、出力信号Ｓ１をカウントでき、リレーが遮断される。
【００６２】
また、カウンタ回路４０は、カウンタクリア信号Ｓ３の立上りを検出する。
マイクロコンピュータ３０が暴走すると、カウンタクリア信号Ｓ３がＨ信号のまま、あるいは、Ｌ信号のままになると考えられる。第１のリレー制御信号Ｓ２がＨ信号からＬ信号になれば、リレーが遮断されるが、第１のリレー制御信号Ｓ２がＨ信号のままであれば、リレーが遮断されず、漏電が続いてしまう。
仮に、カウンタ回路４０が、カウンタクリア信号Ｓ３の立下りを検出する場合、第１のリレー制御信号Ｓ２がＨ信号からＬ信号に落ちやすく、カウンタ回路は、カウンタクリア信号Ｓ３を検出しやすい。
一方、カウンタ回路４０が、カウンタクリア信号Ｓ３の立上りを検出する場合、カウンタクリア信号Ｓ３がＬ信号からＨ信号に上がりにくく、カウンタ回路は、カウンタクリア信号Ｓ３を検出しにくい。
よって、カウンタ回路４０がカウンタクリア信号Ｓ３の立上りを検出すると、マイクロコンピュータ３０が暴走したとき、カウンタ回路４０は、出力信号Ｓ１をカウントできる可能性を高められる。
【００６３】
また、マイクロコンピュータ３０が正常に動作しない場合、カウンタ回路４０が、第２のリレー制御信号Ｓ４をＬ信号からＨ信号を出力すると同時に、出力信号Ｓ１はグランドに落とされて、カウンタ回路４０は出力信号Ｓ１をカウントしない。
【００６４】
カウンタ回路４０が第２のリレー制御信号Ｓ４を出力すると同時に、出力信号Ｓ１がグランドに落とされないと次のような問題が生じる。
つまり、カウンタ回路４０は、出力信号Ｓ１を所定回カウントして、判定ビットが変わると、第２のリレー制御信号Ｓ４をＨ信号として出力して、リレーが遮断して、通電が止まる。
しかし、その後も、カウンタ回路４０は出力信号Ｓ１をカウントするため、カウンタ回路４０の判定ビットが変わってしまう。すると、カウンタ回路４０は、マイクロコンピュータが正常に戻ったと判断して第２のリレー制御信号Ｓ４をＨ信号からＬ信号として出力し、誤動作の原因となる。
一方、カウンタ回路４０が第２のリレー制御信号Ｓ４を出力すると同時に、出力信号Ｓ１がグランドに落とされると、カウンタ回路４０は出力信号Ｓ１をカウントできない。すると、カウンタ回路４０の判定ビットが変わらないため、リレーの遮断状態が維持できる。
【００６５】
また、制御ボックスを一体に有する充電ケーブルであって、この制御ボックスには前記漏電遮断器が設けられている。よって、漏電遮断器が充電ケーブルとは別体の構成部品ではなく、一体の構成部品となるため、持ち運びに便利である。
【符号の説明】
【００６６】
１        漏電遮断器
１１      交流電路接続器
１２      交流電路
１４      リレー制御回路（トランジスタＴｒ１、Ｔｒ２、Ｔｒ３）
１５      零相変流器
１６      負荷側接続器
２０      検出回路
２１      整流回路
２５      比較演算回路
３０      マイクロコンピュータ
４０      カウンタ回路
Ｌ        リレー
【図１】
2020013688.tif 000003
【図２】
2020013688.tif 000004
【図３】
2020013688.tif 000005
【図４】
2020013688.tif 000006
【図５】
2020013688.tif 000007
【図６】
2020013688.tif 000008